(57)【要約】      （修正有）【課題】負正の２群ズームレンズ系において、メカ機構がシンプルという長所を生かしつつ、十分な明るさを得、コマ収差、球面収差、歪曲収差などの諸収差を良好に補正したズームレンズ系を提供する。【解決手段】負の第１レンズ群と、正の第２レンズ群とからなり、ワイド端からテレ端への変倍に際し、第１レンズ群と第２レンズ群の間隔が減少し、第２レンズ群は、正の第２Ａレンズ群と、正の第２Ｂレンズ群とからなり、第２Ａレンズ群は、２枚以上の正レンズと１枚以上の負レンズを有しており、第２Ｂレンズ群は、１枚以上の正レンズと２枚以上の負レンズを有しており、次の条件式（１）及び（２）を満足すること。（１）−１．０＜ｆ１／ｆ２＜−０．７（２）０．２５＜ｆ２Ａ／ｆ２Ｂ＜１．０但し、ｆ１：第１レンズ群の焦点距離、ｆ２：第２レンズ群の焦点距離、ｆ２Ａ：第２Ａレンズ群の焦点距離、ｆ２Ｂ：第２Ｂレンズ群の焦点距離。【選択図】図１
2014232248.tif 000002
【特許請求の範囲】
【請求項１】
物体側から順に、負の屈折力の第１レンズ群と、正の屈折力の第２レンズ群とからなり、短焦点距離端から長焦点距離端への変倍に際し、第１レンズ群と第２レンズ群の間隔が減少するズームレンズ系において、
第２レンズ群は、物体側から順に、正の屈折力の第２Ａレンズ群と、正の屈折力の第２Ｂレンズ群とからなり、
第２Ａレンズ群は、２枚以上の正レンズと１枚以上の負レンズを有しており、
第２Ｂレンズ群は、１枚以上の正レンズと２枚以上の負レンズを有しており、
次の条件式（１）及び（２）を満足することを特徴とするズームレンズ系。
（１）−１．０＜ｆ１／ｆ２＜−０．７
（２）０．２５＜ｆ２Ａ／ｆ２Ｂ＜１．０
但し、
ｆ１：第１レンズ群の焦点距離、
ｆ２：第２レンズ群の焦点距離、
ｆ２Ａ：第２Ａレンズ群の焦点距離、
ｆ２Ｂ：第２Ｂレンズ群の焦点距離。
【請求項２】
請求項１記載のズームレンズ系において、次の条件式（３）を満足するズームレンズ系。
（３）０．２＜Ｄ２ＡＢ／Ｄ２
但し、
Ｄ２ＡＢ：第２Ａレンズ群の最も像側のレンズ面から第２Ｂレンズ群の最も物体側のレンズ面までの距離、
Ｄ２：第２Ａレンズ群の最も物体側のレンズ面から第２Ｂレンズ群の最も像側のレンズ面までの距離。
【請求項３】
請求項１または２記載のズームレンズ系において、第２Ｂレンズ群は、その最も像側に、正レンズと負レンズの接合レンズを有するズームレンズ系。
【請求項４】
請求項３記載のズームレンズ系において、次の条件式（４）及び（５）を満足するズームレンズ系。
（４）Ｎｄ２Ｂｐ＞１．５５
（５）νｄ２Ｂｐ＞６２
但し、
Ｎｄ２Ｂｐ：第２Ｂレンズ群中の最も像側の接合レンズの正レンズのｄ線に対する屈折率、
νｄ２Ｂｐ：第２Ｂレンズ群中の最も像側の接合レンズの正レンズのｄ線に対するアッベ数。
【請求項５】
請求項３または４記載のズームレンズ系において、第２Ｂレンズ群は、最も像側の接合レンズよりも物体側に位置させて、物体側に凸面を向けた負メニスカスレンズを有するズームレンズ系。
【請求項６】
請求項１ないし５のいずれか１項記載のズームレンズ系において、第２Ｂレンズ群は、１枚または２枚の正レンズと２枚の負レンズからなるズームレンズ系。
【請求項７】
請求項１ないし６のいずれか１項記載のズームレンズ系において、第２Ａレンズ群は、２枚または３枚の正レンズと１枚の負レンズからなるズームレンズ系。
【請求項８】
請求項１ないし７のいずれか１項記載のズームレンズ系において、第２Ａレンズ群は、その最も物体側に正レンズを有しており、次の条件式（６）を満足するズームレンズ系。
（６）４０＜νｄ２Ａｐ＜６０
但し、
νｄ２Ａｐ：第２レンズ群中の最も物体側の正レンズのｄ線に対するアッベ数。
【請求項９】
請求項１ないし８のいずれか１項記載のズームレンズ系において、第１レンズ群は、物体側から順に、負レンズ、負レンズ及び正レンズからなるズームレンズ系。
【発明の詳細な説明】
【技術分野】
【０００１】
本発明は、標準域から中望遠領域までを含むズームレンズ系に関する。
【背景技術】
【０００２】
従来、標準域から中望遠領域までを含むズームレンズ系として、負正負正の４群ズームレンズ系や負正の２群ズームレンズ系が用いられている。一般的に、負正負正の４群ズームレンズ系は、設計自由度が高く収差補正に有利という長所を持つ反面、レンズ群（レンズ枚数）が多いためメカ機構が大型かつ複雑になるという短所を持っており、負正の２群ズームレンズ系は、レンズ群（レンズ枚数）が少ないためメカ機構がシンプルでコストを抑えやすいという長所を持つ反面、設計自由度が低く収差補正に不利という短所を持っている。また、Ｆ値を小さくして明るいズームレンズ系を得ようとする場合、負正の２群ズームレンズ系では設計自由度の低さから収差補正（特にコマフレアの補正）が難しく光学性能が劣化しやすいため、設計自由度の高い負正負正の４群ズームレンズ系がよく用いられている。
【０００３】
特許文献１〜３には、負正の２群ズームレンズ系が開示されている。しかし、いずれも、Ｆ値が４程度しかなく明るさが不十分であり、また、コマ収差、球面収差、歪曲収差などの諸収差が大きく発生して光学性能が劣化してしまうという問題がある。
【先行技術文献】
【特許文献】
【０００４】
【特許文献１】特開２００２−８２２８３号公報
【特許文献２】特開２００４−２１２２３号公報
【特許文献３】特開２００８−１５２１８９号公報
【発明の概要】
【発明が解決しようとする課題】
【０００５】
本発明は、以上の問題意識に基づいてなされたものであり、負正の２群ズームレンズ系において、メカ機構がシンプルでコストを抑えやすいという長所を生かしつつ、Ｆ値を小さくして十分な明るさを得るとともに、コマ収差、球面収差、歪曲収差などの諸収差を良好に補正して優れた光学性能を達成することを目的とする。
【課題を解決するための手段】
【０００６】
本発明のズームレンズ系は、物体側から順に、負の屈折力の第１レンズ群と、正の屈折力の第２レンズ群とからなり、短焦点距離端から長焦点距離端への変倍に際し、第１レンズ群と第２レンズ群の間隔が減少するズームレンズ系において、第２レンズ群は、物体側から順に、正の屈折力の第２Ａレンズ群と、正の屈折力の第２Ｂレンズ群とからなり、第２Ａレンズ群は、２枚以上の正レンズと１枚以上の負レンズを有しており、第２Ｂレンズ群は、１枚以上の正レンズと２枚以上の負レンズを有しており、次の条件式（１）及び（２）を満足することを特徴としている。
（１）−１．０＜ｆ１／ｆ２＜−０．７
（２）０．２５＜ｆ２Ａ／ｆ２Ｂ＜１．０
但し、
ｆ１：第１レンズ群の焦点距離、
ｆ２：第２レンズ群の焦点距離、
ｆ２Ａ：第２Ａレンズ群の焦点距離、
ｆ２Ｂ：第２Ｂレンズ群の焦点距離、
である。
【０００７】
条件式（１）が規定する条件範囲の中でも、次の条件式（１’）を満足することが好ましい。
（１’）−１．０＜ｆ１／ｆ２＜−０．７５
【０００８】
条件式（２）が規定する条件範囲の中でも、次の条件式（２’）を満足することが好ましい。
（２’）０．３＜ｆ２Ａ／ｆ２Ｂ＜０．９
【０００９】
本発明のズームレンズ系は、次の条件式（３）を満足することが好ましい。
（３）０．２＜Ｄ２ＡＢ／Ｄ２
但し、
Ｄ２ＡＢ：第２Ａレンズ群の最も像側のレンズ面から第２Ｂレンズ群の最も物体側のレンズ面までの距離（第２Ａレンズ群と第２Ｂレンズ群の空気間隔）、
Ｄ２：第２Ａレンズ群の最も物体側のレンズ面から第２Ｂレンズ群の最も像側のレンズ面までの距離（第２レンズ群の群厚）、
である。
【００１０】
第２Ｂレンズ群は、その最も像側に、正レンズと負レンズの接合レンズを有することができる。
【００１１】
本発明のズームレンズ系は、次の条件式（４）及び（５）を満足することが好ましい。
（４）Ｎｄ２Ｂｐ＞１．５５
（５）νｄ２Ｂｐ＞６２
但し、
Ｎｄ２Ｂｐ：第２Ｂレンズ群中の最も像側の接合レンズの正レンズのｄ線に対する屈折率、
νｄ２Ｂｐ：第２Ｂレンズ群中の最も像側の接合レンズの正レンズのｄ線に対するアッベ数、
である。
【００１２】
第２Ｂレンズ群は、最も像側の接合レンズよりも物体側に位置させて、物体側に凸面を向けた負メニスカスレンズを有することができる。
【００１３】
第２Ｂレンズ群は、１枚または２枚の正レンズと２枚の負レンズから構成することができる。
【００１４】
第２Ａレンズ群は、２枚または３枚の正レンズと１枚の負レンズから構成することができる。
【００１５】
本発明のズームレンズ系は、第２Ａレンズ群が、その最も物体側に正レンズを有しており、次の条件式（６）を満足することが好ましい。
（６）４０＜νｄ２Ａｐ＜６０
但し、
νｄ２Ａｐ：第２レンズ群中の最も物体側の正レンズのｄ線に対するアッベ数、
である。
【００１６】
第１レンズ群は、物体側から順に、負レンズ、負レンズ及び正レンズから構成することができる。
【発明の効果】
【００１７】
本発明によれば、負正の２群ズームレンズ系において、メカ機構がシンプルでコストを抑えやすいという長所を生かしつつ、Ｆ値を小さくして十分な明るさを得るとともに、コマ収差、球面収差、歪曲収差などの諸収差を良好に補正して優れた光学性能を達成することができる。
【図面の簡単な説明】
【００１８】
【図１】本発明によるズームレンズ系の数値実施例１の長焦点距離端における無限遠合焦時のレンズ構成図である。
【図２】図１の構成における諸収差図である。
【図３】図１の構成における横収差図である。
【図４】同数値実施例１の短焦点距離端における無限遠合焦時のレンズ構成図である。
【図５】図４の構成における諸収差図である。
【図６】図４の構成における横収差図である。
【図７】本発明によるズームレンズ系の数値実施例２の長焦点距離端における無限遠合焦時のレンズ構成図である。
【図８】図７の構成における諸収差図である。
【図９】図７の構成における横収差図である。
【図１０】同数値実施例２の短焦点距離端における無限遠合焦時のレンズ構成図である。
【図１１】図１０の構成における諸収差図である。
【図１２】図１０の構成における横収差図である。
【図１３】本発明によるズームレンズ系の数値実施例３の長焦点距離端における無限遠合焦時のレンズ構成図である。
【図１４】図１３の構成における諸収差図である。
【図１５】図１３の構成における横収差図である。
【図１６】同数値実施例３の短焦点距離端における無限遠合焦時のレンズ構成図である。
【図１７】図１６の構成における諸収差図である。
【図１８】図１６の構成における横収差図である。
【図１９】本発明によるズームレンズ系の数値実施例４の長焦点距離端における無限遠合焦時のレンズ構成図である。
【図２０】図１９の構成における諸収差図である。
【図２１】図１９の構成における横収差図である。
【図２２】同数値実施例４の短焦点距離端における無限遠合焦時のレンズ構成図である。
【図２３】図２２の構成における諸収差図である。
【図２４】図２２の構成における横収差図である。
【図２５】本発明によるズームレンズ系の数値実施例５の長焦点距離端における無限遠合焦時のレンズ構成図である。
【図２６】図２５の構成における諸収差図である。
【図２７】図２５の構成における横収差図である。
【図２８】同数値実施例５の短焦点距離端における無限遠合焦時のレンズ構成図である。
【図２９】図２８の構成における諸収差図である。
【図３０】図２８の構成における横収差図である。
【図３１】本発明によるズームレンズ系の数値実施例６の長焦点距離端における無限遠合焦時のレンズ構成図である。
【図３２】図３１の構成における諸収差図である。
【図３３】図３１の構成における横収差図である。
【図３４】同数値実施例６の短焦点距離端における無限遠合焦時のレンズ構成図である。
【図３５】図３４の構成における諸収差図である。
【図３６】図３４の構成における横収差図である。
【図３７】本発明によるズームレンズ系のズーム軌跡を示す簡易移動図である。
【発明を実施するための形態】
【００１９】
本実施形態のズームレンズ系は、全数値実施例１−６を通じて、図３７の簡易移動図に示すように、物体側から順に、負の屈折力の第１レンズ群Ｇ１と、正の屈折力の第２レンズ群Ｇ２とからなる。第２レンズ群Ｇ２は、物体側から順に、正の屈折力の第２Ａレンズ群Ｇ２Ａと、正の屈折力の第２Ｂレンズ群Ｇ２Ｂとからなる。第２Ａレンズ群Ｇ２Ａと第２Ｂレンズ群Ｇ２Ｂの間には開口絞りＳが位置している。Ｉは像面である。なお、開口絞りＳは、必ずしも第２Ａレンズ群Ｇ２Ａと第２Ｂレンズ群Ｇ２Ｂの間に配置する必要は無く、例えば第２Ａレンズ群Ｇ２Ａの前方に配置してもよい。
【００２０】
本実施形態のズームレンズ系は、全数値実施例１−６を通じて、図３７の簡易移動図に示すように、短焦点距離端（Ｗｉｄｅ）から長焦点距離端（Ｔｅｌｅ）への変倍に際し、第１レンズ群Ｇ１が一旦像側に移動した後に物体側に移動し（Ｕターンし）、第２レンズ群Ｇ２（第２Ａレンズ群Ｇ２Ａ、第２Ｂレンズ群Ｇ２Ｂ、開口絞りＳ）が単調に物体側に移動し、その結果、第１レンズ群Ｇ１と第２レンズ群Ｇ２の間隔が減少する。なお、無限遠物体から有限距離物体へのフォーカシングは、第１レンズ群Ｇ１を物体側に移動させる（繰り出す）ことによって行う。
【００２１】
第１レンズ群Ｇ１は、全数値実施例１−６を通じて、物体側から順に、負レンズ１１と、負レンズ１２と、正レンズ１３とからなる。負レンズ１２は、その像側の面が非球面からなる。
【００２２】
第２Ａレンズ群Ｇ２Ａは、数値実施例１−４では、物体側から順に、正レンズ２１と、正レンズ２２と、正レンズ２３と、負レンズ２４とからなる。正レンズ２３の像側の面と負レンズ２４の物体側の面は接合されている。
第２Ａレンズ群Ｇ２Ａは、数値実施例５、６では、物体側から順に、正レンズ２１’と、正レンズ２２’と、負レンズ２３’とからなる。正レンズ２２’の像側の面と負レンズ２３’の物体側の面は接合されている。
【００２３】
第２Ｂレンズ群Ｇ２Ｂは、数値実施例１、２では、物体側から順に、負レンズ２５と、正レンズ２６と、負レンズ２７とからなる。正レンズ２６の像側の面と負レンズ２７の物体側の面は接合されている。
第２Ｂレンズ群Ｇ２Ｂは、数値実施例３、４では、物体側から順に、正レンズ２５’と、負レンズ２６’と、正レンズ２７’と、負レンズ２８’とからなる。正レンズ２７’の像側の面と負レンズ２８’の物体側の面は接合されている。
第２Ｂレンズ群Ｇ２Ｂは、数値実施例５、６では、物体側から順に、正レンズ２５”と、負レンズ２６”と、負レンズ２７”と、正レンズ２８”とからなる。負レンズ２７”の像側の面と正レンズ２８”の物体側の面は接合されている。
【００２４】
従来の一般的な負正の２群ズームレンズ系は、正の屈折力の第２レンズ群をトリプレットの前側凸と凹の間に凸メニスカスを挿入したいわゆるエルノスター構成としたものが多く採用されているが、収差補正、特にコマフレアの補正が困難であり、光学性能が劣化しやすいという問題がある。
【００２５】
そこで本実施形態のズームレンズ系は、第２レンズ群Ｇ２を第２Ａレンズ群Ｇ２Ａと第２Ｂレンズ群Ｇ２Ｂに分け、主として第２Ａレンズ群Ｇ２Ａによって結像を行い、主として第２Ｂレンズ群Ｇ２Ｂによってコマフレアを良好に補正することで、優れた光学性能を達成している。
【００２６】
第２Ａレンズ群Ｇ２Ａに、２枚以上の正レンズ（正レンズ２１と正レンズ２２と正レンズ２３、または正レンズ２１’と正レンズ２２’）と１枚以上の負レンズ（負レンズ２４または負レンズ２３’）を含ませることで、主に球面収差を良好に補正することができる。
【００２７】
また、第２Ｂレンズ群Ｇ２Ｂに、１枚以上の正レンズ（正レンズ２６、正レンズ２５’と正レンズ２７’、または正レンズ２５”と正レンズ２８”）と２枚以上の負レンズ（負レンズ２５と負レンズ２７、負レンズ２６’と負レンズ２８’、または負レンズ２６”と負レンズ２７”）を含ませることで、主にコマ収差を良好に補正することができる。
【００２８】
また、第２Ｂレンズ群Ｇ２Ｂ中の最も像側に、正レンズと負レンズの接合レンズ（正レンズ２６と負レンズ２７の接合レンズ、正レンズ２７’と負レンズ２８’の接合レンズ、または負レンズ２７”と正レンズ２８”の接合レンズ）を含ませることで、高次収差を発生することなく、コマ収差を良好に補正することができる。
【００２９】
また、第２Ｂレンズ群Ｇ２Ｂ中の最も像側の接合レンズよりも物体側に位置させて、物体側に凸面を向けた負メニスカスレンズ（負メニスカスレンズ２５、負メニスカスレンズ２６’または負メニスカスレンズ２６”）を設けることで、球面収差とコマ収差を良好に補正することができる。
【００３０】
また、第１レンズ群Ｇ１を、物体側から順に、負レンズ１１と、負レンズ１２と、正レンズ１３とから構成することで、レンズ径の増大を回避しつつ、歪曲収差と非点収差をバランス良く補正することができる。
【００３１】
そして本実施形態のズームレンズ系は、第１レンズ群Ｇ１と第２レンズ群Ｇ２のパワーバランス、及び第２Ａレンズ群Ｇ２Ａと第２Ｂレンズ群Ｇ２Ｂのパワーバランスを最適設定することで、コマ収差、球面収差、歪曲収差などの諸収差を良好に補正して優れた光学性能を達成することに成功している。
【００３２】
条件式（１）は、第１レンズ群Ｇ１の焦点距離と、第２レンズ群Ｇ２の焦点距離との比を規定している。条件式（１）を満足することで、コマ収差を良好に補正するとともに、変倍時の球面収差の変動を抑えて、優れた光学性能を達成することができる。
条件式（１）の上限を超えると、第１レンズ群Ｇ１の負のパワーが強くなりすぎて、第２レンズ群Ｇ２の光束径が大きくなってコマ収差が補正困難になる。
条件式（１）の下限を超えると、第２レンズ群Ｇ２の正のパワーが強くなりすぎて、変倍時の球面収差の変動が大きくなる。
【００３３】
条件式（２）は、第２Ａレンズ群Ｇ２Ａの焦点距離と、第２Ｂレンズ群Ｇ２Ｂとの比を規定している。条件式（２）を満足することで、歪曲収差、球面収差、コマ収差を良好に補正して優れた光学性能を達成することができる。
条件式（２）の上限を超えると、第２Ｂレンズ群Ｇ２Ｂの正のパワーが強くなりすぎて、特に短焦点距離端において歪曲収差が補正困難になる。
条件式（２）の下限を超えると、第２Ａレンズ群Ｇ２Ａの正のパワーが強くなりすぎて、球面収差とコマ収差が補正困難になる。
【００３４】
条件式（３）は、第２Ａレンズ群Ｇ２Ａの最も像側のレンズ面から第２Ｂレンズ群Ｇ２Ｂの最も物体側のレンズ面までの距離（第２Ａレンズ群Ｇ２Ａと第２Ｂレンズ群Ｇ２Ｂの空気間隔）と、第２Ａレンズ群Ｇ２Ａの最も物体側のレンズ面から第２Ｂレンズ群Ｇ２Ｂの最も像側のレンズ面までの距離（第２レンズ群Ｇ２の群厚）との比を規定している。条件式（３）を満足することで、第２Ａレンズ群Ｇ２Ａと第２Ｂレンズ群Ｇ２Ｂとがある程度離れることになり、コマ収差を良好に補正して優れた光学性能を達成することができる。
条件式（３）の下限を超えると、コマ収差が補正困難になる。
【００３５】
条件式（４）は、第２Ｂレンズ群Ｇ２Ｂ中の最も像側の接合レンズの正レンズ（正レンズ２６、正レンズ２７’または正レンズ２８”）のｄ線に対する屈折率を規定している。条件式（４）を満足することで、コマ収差を良好に補正して優れた光学性能を達成することができる。
条件式（４）の下限を超えると、コマ収差が補正困難になる。
【００３６】
条件式（５）は、第２Ｂレンズ群Ｇ２Ｂ中の最も像側の接合レンズの正レンズ（正レンズ２６、正レンズ２７’または正レンズ２８”）のｄ線に対するアッベ数を規定している。条件式（５）を満足することで、軸上色収差と倍率色収差の補正を両立させて優れた光学性能を達成することができる。
条件式（５）の下限を超えると、軸上色収差と倍率色収差の補正を両立させるのが困難になる。
【００３７】
本実施形態のズームレンズ系は、全数値実施例１−６を通じて、第２Ａレンズ群Ｇ２Ａ中の最も物体側に正レンズ（正レンズ２１または正レンズ２１’）を設けている。条件式（６）はこの構成において、第２Ａレンズ群Ｇ２Ａ中の最も物体側の正レンズ（正レンズ２１または正レンズ２１’）のｄ線に対するアッベ数を規定している。条件式（６）を満足することで、特に短焦点距離端において倍率色収差を良好に補正し、ズーム全域に亘って軸上色収差を良好に補正することで、優れた光学性能を達成することができる。
条件式（６）の上限を超えると、特に短焦点距離端において倍率色収差が補正困難になる。
条件式（６）の下限を超えると、ズーム全域に亘って軸上色収差の補正が困難になる。
【実施例】
【００３８】
次に具体的な数値実施例１−６を示す。諸収差図及び横収差図並びに表中において、ｄ線、ｇ線、Ｃ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、Rは曲率半径、dはレンズ厚またはレンズ間隔、N(d)はｄ線に対する屈折率、ν(d)はｄ線に対するアッベ数を示す。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。長さの単位は[mm]である。
回転対称非球面は次式で定義される。
x=cy2/[1+[1-(1+K)c2y2]1/2]+A4y4+A6y6+A8y8+A10y10+A12y12・・・
（但し、cは曲率（１／ｒ）、ｙは光軸からの高さ、Ｋは円錐係数、Ａ４、Ａ６、Ａ８、・・・・・は各次数の非球面係数、ｘはサグ量）
【００３９】
全数値実施例１−６を通じて、第２レンズ群Ｇ２（第２Ｂレンズ群Ｇ２Ｂ）と像面Ｉとの間には、図示を省略した固定絞りが設けられている。この固定絞りは、短焦点距離端から長焦点距離端への変倍に際し、像面Ｉに対して固定されている（光軸方向に移動しない）。このため、バックフォーカスfBは、固定絞りと像面Ｉとの間の光軸上の距離であり、一定値となっている。
【００４０】
［数値実施例１］
図１〜図６と表１〜表４は、本発明によるズームレンズ系の数値実施例１を示している。図１は長焦点距離端における無限遠合焦時のレンズ構成図、図２はその諸収差図、図３はその横収差図であり、図４は短焦点距離端における無限遠合焦時のレンズ構成図、図５はその諸収差図、図６はその横収差図である。表１は面データ、表２は非球面データ、表３は各種データ、表４はレンズ群データである。
【００４１】
本数値実施例１のズームレンズ系は、物体側から順に、負の屈折力の第１レンズ群Ｇ１と、正の屈折力の第２レンズ群Ｇ２とからなる。
【００４２】
第１レンズ群Ｇ１は、物体側から順に、物体側に凸の負メニスカスレンズ１１と、物体側に凸の負メニスカスレンズ１２と、物体側に凸の正メニスカスレンズ１３とからなる。負メニスカスレンズ１２は、その像側の面が非球面からなる。
【００４３】
第２レンズ群Ｇ２は、物体側から順に、正の屈折力の第２Ａレンズ群Ｇ２Ａと、正の屈折力の第２Ｂレンズ群Ｇ２Ｂとからなる。第２Ａレンズ群Ｇ２Ａと第２Ｂレンズ群Ｇ２Ｂの間には開口絞りＳが位置しており、この開口絞りＳは第２レンズ群Ｇ２と一体に移動する。
第２Ａレンズ群Ｇ２Ａは、物体側から順に、両凸正レンズ２１と、物体側に凸の正メニスカスレンズ２２と、両凸正レンズ２３と、両凹負レンズ２４とからなる。両凸正レンズ２３の像側の面と両凹負レンズ２４の物体側の面は接合されている。
第２Ｂレンズ群Ｇ２Ｂは、物体側から順に、物体側に凸の負メニスカスレンズ２５と、両凸正レンズ２６と、像側に凸の負メニスカスレンズ２７とからなる。両凸正レンズ２６の像側の面と負メニスカスレンズ２７の物体側の面は接合されている。
【００４４】
（表１）
面データ
面番号          R          d          N(d)        ν(d)
1            44.886      1.900      1.72916        54.7
2            16.536      7.470
3            75.512      1.650      1.71300        53.9
4*           20.975      8.090
5            36.638      3.530      1.72151        29.2
6           131.601        d6
7            46.772      2.990      1.53172        48.9
8          -369.726      0.100
9            58.567      2.470      1.49700        81.6
10          425.176      0.100
11           35.365      4.800      1.49700        81.6
12          -35.374      1.830      1.80400        46.6
13          496.816      5.370
14絞           ∞       4.530
15           30.046      1.990      1.80518        25.4
16           19.197      1.300
17           65.376      3.310      1.60300        65.5
18          -22.015      1.150      1.80100        35.0
19          -33.575       d19
20（固定絞り） ∞          -
（表２）
非球面データ
面番号   K          A4           A6           A8          A10
4     0.000   -0.1704E-04  -0.6292E-07   0.9980E-10  -0.6959E-12
（表３）
各種データ
ズーム比（変倍比）    1.89
短焦点距離端          中間焦点距離          長焦点距離端
FNO.            2.9                   3.4                   4.1
f             20.60                 30.00                 39.00
W              35.8                  25.8                  20.2
Y             14.24                 14.24                 14.24
fB            38.92                 38.92                 38.92
L            116.94                112.02                114.43
d6           25.437                 9.672                 1.699
d19           0.000                10.848                21.234
（表４）
レンズ群データ
群          始面          焦点距離
1              1            -29.97
2              7             34.59
【００４５】
［数値実施例２］
図７〜図１２と表５〜表８は、本発明によるズームレンズ系の数値実施例２を示している。図７は長焦点距離端における無限遠合焦時のレンズ構成図、図８はその諸収差図、図９はその横収差図であり、図１０は短焦点距離端における無限遠合焦時のレンズ構成図、図１１はその諸収差図、図１２はその横収差図である。表５は面データ、表６は非球面データ、表７は各種データ、表８はレンズ群データである。
【００４６】
この数値実施例２のレンズ構成は、数値実施例１のレンズ構成と同様である。
【００４７】
（表５）
面データ
面番号          R          d          N(d)        ν(d)
1            44.083      2.000      1.72916        54.7
2            17.429      7.700
3            88.655      1.630      1.74330        49.3
4*           20.721      8.610
5            37.733      3.460      1.74077        27.8
6           135.752        d6
7            49.607      3.210      1.54072        47.2
8          -308.165      0.100
9            40.260      2.930      1.49700        81.6
10          561.656      0.100
11           39.181      4.390      1.49700        81.6
12          -39.197      1.800      1.80400        46.6
13          121.646      4.760
14絞           ∞       4.850
15           31.338      2.650      1.80000        29.9
16           19.297      1.300
17           53.282      3.400      1.59522        67.7
18          -21.933      1.200      1.80000        29.9
19          -33.357       d19
20（固定絞り） ∞          -
（表６）
非球面データ
面番号   K          A4           A6           A8          A10
4     0.000   -0.1553E-04  -0.4942E-07   0.5024E-10  -0.4192E-12
（表７）
各種データ
ズーム比（変倍比）    1.89
短焦点距離端          中間焦点距離          長焦点距離端
FNO.            2.9                   3.4                   4.1
f             20.60                 30.00                 39.00
W              35.8                  25.8                  20.2
Y             14.24                 14.24                 14.24
fB            36.88                 36.88                 36.88
L            118.32                113.60                116.19
d6           25.446                 9.734                 1.788
d19           1.900                12.896                23.424
（表８）
レンズ群データ
群          始面          焦点距離
1              1            -29.72
2              7             34.76
【００４８】
［数値実施例３］
図１３〜図１８と表９〜表１２は、本発明によるズームレンズ系の数値実施例３を示している。図１３は長焦点距離端における無限遠合焦時のレンズ構成図、図１４はその諸収差図、図１５はその横収差図であり、図１６は短焦点距離端における無限遠合焦時のレンズ構成図、図１７はその諸収差図、図１８はその横収差図である。表９は面データ、表１０は非球面データ、表１１は各種データ、表１２はレンズ群データである。
【００４９】
この数値実施例３のレンズ構成は、以下の点を除いて、数値実施例１のレンズ構成と同様である。
（１）第２Ｂレンズ群Ｇ２Ｂが、物体側から順に、両凸正レンズ２５’と、物体側に凸の負メニスカスレンズ２６’と、両凸正レンズ２７’と、像側に凸の負メニスカスレンズ２８’とからなる。両凸正レンズ２７’の像側の面と負メニスカスレンズ２８’の物体側の面は接合されている。
【００５０】
（表９）
面データ
面番号          R          d          N(d)        ν(d)
1            33.478      2.000      1.72916        54.7
2            16.179      9.330
3           157.837      1.650      1.75501        51.2
4*           21.181      8.340
5            38.446      3.410      1.74077        27.8
6           145.601        d6
7            50.224      2.910      1.67003        47.3
8          -916.604      0.100
9            53.307      2.670      1.56907        71.3
10         1010.841      0.100
11           33.725      4.610      1.49700        81.6
12          -36.573      2.310      1.80400        46.6
13           75.120      5.220
14絞           ∞       1.650
15           68.414      2.000      1.60342        38.0
16        -1498.138      0.820
17           39.105      2.330      1.80518        25.4
18           19.961      1.270
19           70.194      4.600      1.59522        67.7
20          -18.632      1.220      1.80610        40.9
21          -30.765       d21
22（固定絞り） ∞          -
（表１０）
非球面データ
面番号   K          A4           A6           A8          A10
4     0.000   -0.1696E-04  -0.4548E-07   0.9988E-11  -0.3844E-12
（表１１）
各種データ
ズーム比（変倍比）    1.89
短焦点距離端          中間焦点距離          長焦点距離端
FNO.            2.9                   3.5                   4.2
f             20.60                 30.00                 39.00
W              35.9                  25.9                  20.3
Y             14.24                 14.24                 14.24
fB            38.92                 38.92                 38.92
L            119.32                116.05                119.55
d6           23.860                 9.193                 1.776
d21           0.000                11.400                22.315
（表１２）
レンズ群データ
群          始面          焦点距離
1              1            -28.20
2              7             34.20
【００５１】
［数値実施例４］
図１９〜図２４と表１３〜表１６は、本発明によるズームレンズ系の数値実施例４を示している。図１９は長焦点距離端における無限遠合焦時のレンズ構成図、図２０はその諸収差図、図２１はその横収差図であり、図２２は短焦点距離端における無限遠合焦時のレンズ構成図、図２３はその諸収差図、図２４はその横収差図である。表１３は面データ、表１４は非球面データ、表１５は各種データ、表１６はレンズ群データである。
【００５２】
この数値実施例４のレンズ構成は、以下の点を除いて、数値実施例３のレンズ構成と同様である。
（１）第２Ｂレンズ群Ｇ２Ｂの正レンズ２５’が、物体側に凸の正メニスカスレンズからなる。
【００５３】
（表１３）
面データ
面番号          R          d          N(d)        ν(d)
1            34.634      1.900      1.72916        54.7
2            16.445      8.460
3           158.145      1.700      1.74330        49.3
4*           21.265      7.380
5            36.560      3.680      1.72825        28.5
6           172.929        d6
7            99.852      2.620      1.72000        43.7
8          -168.612      0.100
9            63.696      2.290      1.49700        81.6
10          249.416      0.100
11           27.565      4.840      1.49700        81.6
12          -34.923      1.970      1.78800        47.4
13          174.814      5.810
14絞           ∞       2.100
15           70.649      2.030      1.58144        40.7
16        13666.243      0.110
17           33.346      1.720      1.80518        25.4
18           18.816      1.400
19          101.316      3.120      1.56907        71.3
20          -20.984      1.200      1.80440        39.6
21          -30.885       d21
22（固定絞り） ∞          -
（表１４）
非球面データ
面番号   K          A4           A6           A8          A10
4     0.000   -0.1525E-04  -0.5281E-07   0.8674E-10  -0.5513E-12
（表１５）
各種データ
ズーム比（変倍比）    1.89
短焦点距離端          中間焦点距離          長焦点距離端
FNO.            2.9                   3.4                   4.1
f             20.60                 30.00                 39.00
W              35.8                  25.8                  20.2
Y             14.24                 14.24                 14.24
fB            38.92                 38.92                 38.92
L            117.62                112.50                114.69
d6           26.171                10.474                 2.536
d21           0.000                10.580                20.709
（表１６）
レンズ群データ
群          始面          焦点距離
1              1            -30.28
2              7             34.08
【００５４】
［数値実施例５］
図２５〜図３０と表１７〜表２０は、本発明によるズームレンズ系の数値実施例５を示している。図２５は長焦点距離端における無限遠合焦時のレンズ構成図、図２６はその諸収差図、図２７はその横収差図であり、図２８は短焦点距離端における無限遠合焦時のレンズ構成図、図２９はその諸収差図、図３０はその横収差図である。表１７は面データ、表１８は非球面データ、表１９は各種データ、表２０はレンズ群データである。
【００５５】
この数値実施例５のレンズ構成は、以下の点を除いて、数値実施例１のレンズ構成と同様である。
（１）第２Ａレンズ群Ｇ２Ａが、物体側から順に、両凸正レンズ２１’と、両凸正レンズ２２’と、両凹負レンズ２３’とからなる。両凸正レンズ２２’の像側の面と両凹負レンズ２３’の物体側の面は接合されている。
（２）第２Ｂレンズ群Ｇ２Ｂが、物体側から順に、物体側に凸の正メニスカスレンズ２５”と、物体側に凸の負メニスカスレンズ２６”と、物体側に凸の負メニスカスレンズ２７”と、両凸正レンズ２８”とからなる。負メニスカスレンズ２７”の像側の面と両凸正レンズ２８”の物体側の面は接合されている。
【００５６】
（表１７）
面データ
面番号          R          d          N(d)        ν(d)
1            37.045      2.100      1.72916        54.7
2            16.206      8.500
3           138.831      1.600      1.69350        53.2
4*           21.237      7.340
5            36.218      3.450      1.71736        29.5
6           152.367        d6
7            63.357      2.890      1.72000        50.2
8          -103.144      0.100
9            29.303      4.980      1.49700        81.6
10          -34.534      1.600      1.80400        46.6
11          105.609      7.290
12絞           ∞       1.550
13           38.989      1.880      1.60342        38.0
14           99.136      1.070
15           33.463      2.060      1.80000        29.9
16           19.930      1.210
17           62.852      1.200      1.80610        33.3
18           22.294      3.590      1.61800        63.4
19          -37.544       d19
20（固定絞り） ∞          -
（表１８）
非球面データ
面番号   K          A4           A6           A8          A10
4     0.000   -0.1675E-04  -0.5943E-07   0.9465E-10  -0.6543E-12
（表１９）
各種データ
ズーム比（変倍比）    1.89
短焦点距離端          中間焦点距離          長焦点距離端
FNO.            2.9                   3.4                   4.1
f             20.60                 30.00                 39.00
W              35.8                  25.8                  20.2
Y             14.24                 14.24                 14.24
fB            38.82                 38.82                 38.82
L            116.81                111.87                114.19
d6           25.580                 9.990                 2.106
d19           0.000                10.654                20.856
（表２０）
レンズ群データ
群          始面          焦点距離
1              1            -30.07
2              7             34.08
【００５７】
［数値実施例６］
図３１〜図３６と表２１〜表２４は、本発明によるズームレンズ系の数値実施例６を示している。図３１は長焦点距離端における無限遠合焦時のレンズ構成図、図３２はその諸収差図、図３３はその横収差図であり、図３４は短焦点距離端における無限遠合焦時のレンズ構成図、図３５はその諸収差図、図３６はその横収差図である。表２１は面データ、表２２は非球面データ、表２３は各種データ、表２４はレンズ群データである。
【００５８】
この数値実施例６のレンズ構成は、数値実施例５のレンズ構成と同様である。
【００５９】
（表２１）
面データ
面番号          R          d          N(d)        ν(d)
1            39.530      2.000      1.72916        54.7
2            16.375      8.750
3           111.373      1.700      1.69350        53.2
4*           21.983      7.330
5            37.276      3.500      1.71736        29.5
6           163.653        d6
7            72.105      3.100      1.71700        47.9
8          -128.840      0.100
9            30.791      4.940      1.49700        81.6
10          -33.067      4.200      1.80400        46.6
11          293.356      6.230
12絞           ∞       1.650
13           33.843      1.980      1.65844        50.9
14           97.748      0.100
15           35.072      2.030      1.61340        44.3
16           18.931      1.430
17           85.887      1.200      1.80100        35.0
18           18.538      3.910      1.60300        65.5
19          -37.331       d19
20（固定絞り） ∞          -
（表２２）
非球面データ
面番号   K          A4           A6           A8          A10
4     0.000   -0.1622E-04  -0.5957E-07   0.1075E-09  -0.6575E-12
（表２３）
各種データ
ズーム比（変倍比）    1.89
短焦点距離端          中間焦点距離          長焦点距離端
FNO.            2.9                   3.4                   4.0
f             20.60                 30.00                 39.00
W              35.8                  25.8                  20.2
Y             14.24                 14.24                 14.24
fB            37.02                 37.02                 37.02
L            120.03                114.06                115.76
d6           26.963                10.562                 2.267
d19           1.900                12.331                22.319
（表２４）
レンズ群データ
群          始面          焦点距離
1              1            -31.17
2              7             34.59
【００６０】
各数値実施例の各条件式に対する値を表２５に示す。
（表２５）
実施例１      実施例２      実施例３
条件式（１）    -0.867        -0.855        -0.825
条件式（２）     0.417         0.471         0.617
条件式（３）     0.331         0.313         0.216
条件式（４）   1.60300      1.59522       1.59522
条件式（５）     65.44         67.73         67.73
条件式（６）     48.84         47.23         47.23
実施例４      実施例５      実施例６
条件式（１）    -0.889        -0.882        -0.901
条件式（２）     0.474         0.714         0.647
条件式（３）     0.269         0.300         0.255
条件式（４）   1.56907       1.61800       1.60300
条件式（５）     71.31         63.33         65.44
条件式（６）     43.69         50.23         47.93
【００６１】
表２５から明らかなように、数値実施例１〜数値実施例６は、条件式（１）〜（６）を満足しており、諸収差図及び横収差図から明らかなように諸収差及び横収差は比較的よく補正されている。
【００６２】
本発明の特許請求の範囲に含まれるズームレンズ系に、実質的なパワーを有さないレンズまたはレンズ群を追加したとしても、本発明の技術的範囲に含まれる（本発明の技術的範囲を回避したことにはならない）。
【符号の説明】
【００６３】
Ｇ１  負の屈折力の第１レンズ群
１１  負レンズ
１２  負レンズ
１３  正レンズ
Ｇ２  正の屈折力の第２レンズ群
Ｇ２Ａ  正の屈折力の第２Ａレンズ群
２１  正レンズ
２２  正レンズ
２３  正レンズ
２４  負レンズ
２１’  正レンズ
２２’  正レンズ
２３’  負レンズ
Ｇ２Ｂ  正の屈折力の第２Ｂレンズ群
２５  負レンズ
２６  正レンズ
２７  負レンズ
２５’  正レンズ
２６’  負レンズ
２７’  正レンズ
２８’  負レンズ
２５”  正レンズ
２６”  負レンズ
２７”  負レンズ
２８”  正レンズ
Ｓ  絞り
Ｉ  像面
【図１】
2014232248.tif 000003
【図２】
2014232248.tif 000004
【図３】
2014232248.tif 000005
【図４】
2014232248.tif 000006
【図５】
2014232248.tif 000007
【図６】
2014232248.tif 000008
【図７】
2014232248.tif 000009
【図８】
2014232248.tif 000010
【図９】
2014232248.tif 000011
【図１０】
2014232248.tif 000012
【図１１】
2014232248.tif 000013
【図１２】
2014232248.tif 000014
【図１３】
2014232248.tif 000015
【図１４】
2014232248.tif 000016
【図１５】
2014232248.tif 000017
【図１６】
2014232248.tif 000018
【図１７】
2014232248.tif 000019
【図１８】
2014232248.tif 000020
【図１９】
2014232248.tif 000021
【図２０】
2014232248.tif 000022
【図２１】
2014232248.tif 000023
【図２２】
2014232248.tif 000024
【図２３】
2014232248.tif 000025
【図２４】
2014232248.tif 000026
【図２５】
2014232248.tif 000027
【図２６】
2014232248.tif 000028
【図２７】
2014232248.tif 000029
【図２８】
2014232248.tif 000030
【図２９】
2014232248.tif 000031
【図３０】
2014232248.tif 000032
【図３１】
2014232248.tif 000033
【図３２】
2014232248.tif 000034
【図３３】
2014232248.tif 000035
【図３４】
2014232248.tif 000036
【図３５】
2014232248.tif 000037
【図３６】
2014232248.tif 000038
【図３７】
2014232248.tif 000039